(57)【要約】      （修正有）【課題】ソーラーパネルユニットを利用した、緊急事態に対応可能な携帯式移動電源を提供する。【解決手段】携帯式移動電源はバッテリーを設置するアダプター１０を備え、アダプター１０周囲の側面には数個の制御パネル１４、１５等を設置し、搭載台２０はアダプター１０とソーラーパネルユニット３０を搭載する。上記の構成により、ソーラーパネルユニット３０を利用して太陽エネルギーを吸収し蓄電し、搭載台２０の機動性と利便性を利用して必要な場所へと移動させられ、絶えず電力を供給することができる。【選択図】図５
0003171843.tif 000002
【実用新案登録請求の範囲】
【請求項１】
携帯式移動電源は、アダプター、搭載台、ソーラーパネルユニット、外殻、結束ベルトを備え、
前記アダプター上方には、バッテリーを搭載し、前記アダプター内には、整流器、電子パーツを備え、前記アダプターは、蓄電、或いは電源供給の伝送作用を実施することができ、前記アダプター周囲側面には、第一、二、三、四制御パネルをそれぞれ設置し、
前記搭載台は、前記アダプターを載せることができ、脚部を前記アダプター下方に設置し、伸縮ハンドルを前記アダプター後方に設置し、前記脚部と連接し、前記伸縮ハンドルと前記脚部との間には、少なくとも２個の車輪を設置し、前記伸縮ハンドル上には、少なくとも１個のフックフレーム、係合制御フレームを設置し、
前記ソーラーパネルユニットは、前記フックフレームと前記係合制御フレームに置いて収納することができ、前記ソーラーパネルユニットは、折畳み可能な２枚のソーラーパネルで、伝送線は、前記ソーラーパネルコンセントに挿入して設置し、前記アダプター内のバッテリーに蓄電することができ、
前記外殻は、前記アダプター上方、及び前記後板の前方に嵌めて設置し、同時に、前記後板により、前記バッテリーを内部に包み覆い、
前記結束ベルトは、前記搭載台、前記ソーラーパネルユニットの外周をぐるりとまとめ、前記ソーラーパネルユニットを、前記搭載台上に一体を呈して固定するよう緊密に締結することを特徴とする携帯式移動電源。
【請求項２】
前記アダプター上方からは、２本の電源伝送線が伸び出ており、これにより前記バッテリーの正極、負極に連接し、蓄電、或いは電源供給の伝送作用を実施することを特徴とする請求項１に記載の携帯式移動電源。
【請求項３】
前記アダプター後上方には、後板を設置し、
前記後板と前記アダプターとの間には、サポート作用を備える平行な２個のサポート板を設置し、
しかも、前記後板には、数個の穿孔を設置し、これに緊密結束ベルトを通し、前記緊密結束ベルトにより前記バッテリー周囲をぐるりと固定し、前記バッテリーと前記後板とは堅固な一体を呈し、
これにより、携帯式移動電源を移動させる時にも、前記バッテリーは落下、或いは分離することはないことを特徴とする請求項１に記載の携帯式移動電源。
【請求項４】
前記第一制御パネルは、前記アダプターの右前方に位置し、
そのパネルには、100V〜220V交流電源の電源出力コンセントを２個、100V〜220V交流電源の電源入力コンセントを１個、全体の運転状況が正常であるか否かを示すインジケーター、ノーヒューズスイッチ、給気口、主電源スイッチを設置することを特徴とする請求項３に記載の携帯式移動電源。
【請求項５】
前記第二制御パネルは、前記アダプター前側に位置し、
そのパネルには、複数のLED照明灯、及び前記LED照明灯を制御する切換スイッチを設置し、
前記切換スイッチは、前記LED照明灯を持続点灯または消灯させることを特徴とする請求項３に記載の携帯式移動電源。
【請求項６】
前記第三制御パネルは、前記アダプターの左側に位置し、
そのパネルには、片側に排気口を設置し、それに相対する側には、ソーラーパネルコンセントを設置し、
前記排気口と前記ソーラーパネルコンセントとの間には、USBに電源を出力するUSBコンセントを設置し、前記USBコンセント上方には、前記アダプターの状態を示すことができるアダプター状態インジケーターを設置し、
前記USBコンセント片側には、バッテリーの電力残量を点灯により表示する電力残量インジケーターを設置し、
前記電力残量インジケーター上方には、充電状態が正常であるか否かを示す充電インジケーターを設置し、
前記充電インジケーター片側には交流電源の入力状態が正常であるか否かを表示する交流電源インジケーターを設置することを特徴とする請求項３に記載の携帯式移動電源。
【請求項７】
前記第四制御パネルは、前記アダプターの後ろ側に位置し、
そのパネル上には、片側に、給気口を設置することを特徴とする請求項３に記載の携帯式移動電源。
【請求項８】
前記ソーラーパネルユニットの任意のソーラーパネル内には、収蔵或いは展開可能な定位フレームを設置し、これにより前記ソーラーパネルユニットは展開して、地面上に斜めに置くことができ、こうして太陽エネルギーを吸収することを特徴とする請求項３に記載の携帯式移動電源。
【考案の詳細な説明】
【技術分野】
【０００１】
本考案は電源供給に関し、特にソーラーパネルユニットを利用し太陽エネルギーを吸収して必要な電力を蓄電し、さらに搭載台の機動性と利便性を利用し必要な場所へ移動させられ、無停電効果を達成することができる携帯式移動電源に関する。
【背景技術】
【０００２】
停電、或いは電源切断時の生活、或いは仕事上での不便を回避するためには、無停電システム(UPS)が有効である。UPS内のバッテリーには電力を蓄えることができるため、必要に応じて、バッテリーから出力して、電力を供給することができる。
【０００３】
一般に蓄電する場合には、100V〜220Vの交流電源を取り込み、それを12Vの直流電源に変換して蓄電、12Vの直流電源を再度100V〜220Vの交流電源に変換して出力する。既に開発されているソーラーパネル携帯式移動電源は、ソーラーパネルを利用し太陽エネルギーを吸収して蓄電し、それを12Vの直流電源に変換して電池に貯蔵するものである。これらは、先に電力を貯蔵し、出力して使用することができるが、すべて単一電圧、或いは単一の取り込み方式、或いは単一の出力方式に限定され、さまざまな使用状態に適用することはできず、これは解決すべき一大課題である。
【０００４】
また、一般のUPSは、固定式で移動させることができないため、緊急事態に遭遇した時にも、便利かつ迅速に必要な場所に移動させ、緊急の必要に間に合わせることができない。本考案は、従来の無停電システムの上記した欠点に鑑みてなされたものである。
【考案の概要】
【考案が解決しようとする課題】
【０００５】
本考案が解決しようとする第一の課題は、平時はソーラーパネルユニットを利用して太陽エネルギーを吸収し、或いは外部電源から必要な電力を蓄え、搭載台の機動性と利便性を利用して、求められる場所へと迅速に移動し、各種電源及び照明に電力を提供する携帯式移動電源を提供することである。
本考案が解決しようとする第二の課題は、ソーラーパネルユニットを利用し、太陽エネルギーを吸収し、無停電効果を提供することができる携帯式移動電源を提供することである。
【課題を解決するための手段】
【０００６】
上記課題を解決するため、本考案は下記の携帯式移動電源を提供する。
携帯式移動電源は、アダプター、搭載台、ソーラーパネルユニット、外殻、結束ベルトを備え、
該アダプター上方には、バッテリーを搭載し、該アダプター内には、整流器、電子パーツを備え、該アダプター上方からは、２本の電源伝送線が伸び出ており、これにより該バッテリーの正極、負極に連接し、蓄電、或いは電源供給の伝送作用を実施することができ、
該アダプター後上方には、後板を設置し、該後板と該アダプターとの間には、サポート作用を備える平行な２個のサポート板を設置し、
しかも、該後板には、数個の穿孔を設置し、これに緊密結束ベルトを通し、該緊密結束ベルトにより該バッテリー周囲をぐるりと固定し、該バッテリーと該後板とは堅固な一体を呈し、これにより携帯式移動電源を移動させる時にも、該バッテリーは落下、或いは分離することはなく、
該アダプター周囲側面には、第一、二、三、四制御パネルをそれぞれ設置し、
該第一制御パネルは、該アダプターの右前方に位置し、
そのパネルには、100V〜220V交流電源の電源出力コンセントを２個、100V〜220V交流電源の電源入力コンセントを１個、全体の運転状況が正常であるか否かを示すインジケーター、ノーヒューズスイッチ、給気口、主電源スイッチを設置し、
該第二制御パネルは、該アダプター前側に位置し、
そのパネルには、複数のLED照明灯、及び該LED照明灯を制御する切換スイッチを設置し、  該切換スイッチは、該LED照明灯の持続点灯または消灯させ、
該第三制御パネルは、該アダプターの左側に位置し、
そのパネルには、片側に換気口を設置し、それに相対する側には、ソーラーパネルコンセントを設置し、
該換気口と該ソーラーパネルコンセントとの間には、USBに電源を出力するUSBコンセントを設置し、該USBコンセント上方には、該アダプターの状態を示すことができるアダプター状態インジケーターを設置し、
該USBコンセント片側には、バッテリーの電力残量を点灯により表示する電力残量インジケーターを設置し、
該電力残量インジケーター上方には、充電状態が正常であるか否かを示す充電インジケーターを設置し、
該充電インジケーター片側には交流電源の入力状態が正常であるか否かを表示する交流電源インジケーターを設置し、
該第四制御パネルは、該アダプターの後ろ側に位置し、
そのパネル上には、片側に、給気口を設置し、
該搭載台は、該アダプターを載せることができ、脚部を該アダプター下方に設置し、伸縮ハンドルを該アダプター後方に設置し、該脚部と連接し、該伸縮ハンドルと該脚部との間には、少なくとも２個の車輪を設置し、該伸縮ハンドル上には、少なくとも１個のフックフレーム、係合制御フレームを設置し、
該ソーラーパネルユニットは、該フックフレームと該係合制御フレームに置いて収納することができ、該ソーラーパネルユニットは、折畳み可能な２枚のソーラーパネルで、伝送線は、該ソーラーパネルコンセントに挿入して設置し、該アダプター内のバッテリーに蓄電することができ、
該ソーラーパネルユニットの任意のソーラーパネル内には、収蔵或いは展開可能な定位フレームを設置し、これにより該ソーラーパネルユニットは展開して、地面上に斜めに置くことができ、こうして太陽エネルギーを吸収し、
該外殻は、該アダプター上方、及び該後板の前方に嵌めて設置し、同時に、該後板により、該バッテリーを内部に包み覆い、
該結束ベルトは、該搭載台、該ソーラーパネルユニットの外周をぐるりとまとめ、該ソーラーパネルユニットを、前記搭載台上に一体を呈して固定する。
【考案の効果】
【０００７】
本考案の携帯式移動電源は、平時はソーラーパネルユニットを利用し、太陽エネルギーを吸収し、或いは外部電源により必要な電力を蓄え、搭載台の機動性と利便性を利用して必要な場所へと迅速に移動させられ、必要な電源及び照明を提供することができ、さらに、ソーラーパネルユニットを利用して太陽エネルギーを吸収することで、無停電効果を達成することができる。
【図面の簡単な説明】
【０００８】
【図１】本考案アダプターとバッテリー及び外殻の立体分解図である。
【図２】図１の立体組合せ図である。
【図３】図１の別の角度からの立体組合せ図である。
【図４】図２に外殻を加えた状態の外観模式図である。
【図５】本考案全体を組合せ、携帯して移動可能な状態を示す外観模式図である。
【図６】本考案を交流電源に接続して充電する実施例を示す模式図である。
【図７】本考案ソーラーパネルを展開して斜めに設置する実施例を示す模式図である。
【考案を実施するための形態】
【０００９】
以下に図面を参照しながら本考案を実施するための最良実施形態について詳細に説明する。
【実施例】
【００１０】
図１〜５に示すように、本考案はアダプター１０、搭載台２０、ソーラーパネルユニット３０、外殻４０、結束ベルト５０を備える。アダプター１０上方には、バッテリー１１を搭載する。アダプター１０内には、整流器、電子パーツ(図示なし)を備える。アダプター１０上方からは、２本の電源伝送線１２が伸び出ており、これによりバッテリー１１の正極１１１、負極１１２に連接し、蓄電、或いは電源供給の伝送作用を実施することができる。アダプター１０後上方には、後板１３を設置する。後板１３とアダプター１０との間には、サポート作用を備える平行な２個のサポート板１３１を設置する。しかも、後板１３には、数個の穿孔１３２を設置し、これに緊密結束ベルト１３３を通す。緊密結束ベルト１３３によりバッテリー１１周囲をぐるりと固定し、バッテリー１１と後板１３とは堅固な一体を呈する。これにより、本考案を移動させる時にも、バッテリー１１が落下、或いは分離することはない。アダプター１０周囲側面には、第一制御パネル１４、第二制御パネル１５、第三制御パネル１６、第四制御パネル１７をそれぞれ設置する。
【００１１】
第一制御パネル１４は、アダプター１０の右前方に位置する。第一制御パネル１４には、100V〜220V交流電源の電源出力コンセント１４１を２個、100V〜220V交流電源の電源入力コンセント１４２を１個、全体の運転状況が正常であるか否かを示すインジケーター１４４、ノーヒューズスイッチ１４５、給気口１４６、主電源スイッチ１４７を設置する。
【００１２】
第二制御パネル１５は、アダプター１０前側に位置する。第二制御パネル１５には、複数のLED照明灯１５１、及びLED照明灯１５１を制御する切換スイッチ１５２を設置する。切換スイッチ１５２の切り換えにより、LED照明灯１５１の持続点灯または消灯させる。
【００１３】
第三制御パネル１６は、アダプター１０の左側に位置する。第三制御パネル１６には、片側に排気口１６１を設置し、それに相対する側には、ソーラーパネルコンセント１６２を設置する。排気口１６１とソーラーパネルコンセント１６２との間には、USBに電源を出力するUSBコンセント１６３を設置し、USBコンセント１６３上方には、アダプター１０の状態を示すことができるアダプター状態インジケーター１６４を設置する。USBコンセント１６３片側には、電力残量インジケーター１６５を設置し、電力残量インジケーター１６５上方には充電インジケーター１６６を設置し、充電インジケーター１６６片側には交流電源インジケーター１６７を設置する。電力残量インジケーター１６５は、バッテリー１１の電力残量を点灯により表示する。充電インジケーター１６６は、充電状態が正常であるか否かを表示する。交流電源インジケーター１６７は、交流電源の入力状態が正常であるか否かを表示する。
【００１４】
第四制御パネル１７は、アダプター１０の後ろ側に位置する。第四制御パネル１７上には、片側に、給気口１７１を設置する。
【００１５】
搭載台２０は、アダプター１０を載せることができ、脚部２１をアダプター１０下方に設置し、伸縮ハンドル２２をアダプター１０後方に設置し、脚部２１と連接する。伸縮ハンドル２２と脚部２１との間には、少なくとも２個の車輪２３を設置する。伸縮ハンドル２２上には、少なくとも１個のフックフレーム２４、係合制御フレーム２５を設置する。
【００１６】
ソーラーパネルユニット３０は、フックフレーム２４と係合制御フレーム２５に置いて収納することができる。ソーラーパネルユニット３０は、折畳み可能な２枚のソーラーパネル３１で、伝送線３２は、ソーラーパネルコンセント１６２に挿入して設置し、アダプター１０内のバッテリーに蓄電することができる。任意のソーラーパネル３１内には、収蔵或いは展開可能な定位フレーム３３を設置し、これによりソーラーパネルユニット３０は展開して、地面上に斜めに置くことができ、こうして太陽エネルギーを吸収することができる。
【００１７】
外殻４０は、アダプター１０上方、及び後板１３の前方に嵌めて設置する。後板１３により、バッテリー１１を内部に包み覆う。
【００１８】
結束ベルト５０は、搭載台２０、ソーラーパネルユニット３０の外周をぐるりとまとめ、ソーラーパネルユニット３０を、搭載台２０上に一体を呈するよう緊密に結束する。
【００１９】
引き続き、図１〜５に合わせて、図６、７に示すように、上記した構成部材により本考案の構造を組成する。すなわち、バッテリー１１を、アダプター１０上に設置し、２個の電源伝送線１２をバッテリー１１の正極１１１と負極１１２にそれぞれ連接する。しかも、緊密結束ベルト１３３を利用し、バッテリー１１外周をぐるりと固定し、これにより後板１３と堅固に一体を呈する。さらに、外殻４０を、アダプター１０上方、及び後板１３の前方に嵌めて設置し、同時に、後板１３によりバッテリー１１を内部に包んで覆う。
【００２０】
図６に示すように、通常の蓄電時には、電源入力コンセント１４２を利用し、110V〜220Vの交流電源を、本考案構造に入力する。同時に、切換スイッチ１５２を、切り換える。これにより、110V〜220Vの交流電源の電源入力コンセント１４２が切断した場合、LED照明灯１５１が点灯してそれを表示する。
【００２１】
太陽光がある場所では、定位フレーム３３を地面に展開する。これにより、ソーラーパネル３１は展開して地面に斜めに置かれ、太陽エネルギーを吸収する(図７参照)。さらに、伝送線３２を、ソーラーパネルコンセント１６２に挿入して設置し、アダプター１０内に電源を供給し、必要時に備えて、バッテリー１１中に蓄電する。同時に、充電インジケーター１６６は点灯し、正常充電中であることを表示し、電力残量インジケーター１６５は点灯し、バッテリー１１内の電力残量を表示する。
【００２２】
電力が満充電になった後、収蔵する時には、先ず、ソーラーパネルユニット３０を、伸縮ハンドル２２のフックフレーム２４と係合制御フレーム２５の間に収納する(図５参照)。同時に、結束ベルト５０を利用し、搭載台２０、ソーラーパネルユニット３０の外周をぐるりとまとめ、ソーラーパネルユニット３０を、搭載台２０上に結束し一体とする。こうして、収納時に占めるスペースを節減でき、しかも携帯における利便性をも備える。
【００２３】
地震が発生し停電となり、或いは戸外でピクニックやキャンプ等をする際に、電源を必要とする場合には、伸縮ハンドル２２のフックフレーム２４と係合制御フレーム２５の間にソーラーパネルユニット３０を既に収納(図３、５参照)してある本考案構造において、搭載台２０を引いて目的地まで移動させる。次に、主電源スイッチ１４７をオンにし、インジケーター１４４が正常を表示すると、電源出力コンセント１４１を利用し、110V〜220Vの交流電源を出力し、必要な電力を供給する。
【００２４】
また、USBコンセント１６３を利用し、携帯電話端末、或いは一般の3C製品に、必要な電源を供給することもできる。
【００２５】
明るさが不足し周囲を照らす必要のある場所では、切換スイッチ１５２を起動し、LED照明灯１５１を点灯させる。
【００２６】
バッテリー１１の電力が不足している時には、上記した方式により、ソーラーパネルユニット３０の定位フレーム３３を地面に展開する。これにより、ソーラーパネル３１は地面に斜めに展開され、太陽エネルギーを吸収する(図７参照)。さらに、伝送線３２を、ソーラーパネルコンセント１６２に挿入して設置し、バッテリー１１に電源を提供する。
【００２７】
上記したように、本考案は、平時はソーラーパネルユニット３０を利用し、太陽エネルギーを吸収し、或いは外部電源により必要な電力を蓄え、搭載台の機動性と利便性を利用して必要な場所へと迅速に移動させられ、必要な電源及び照明を提供することができる。さらに本考案は、ソーラーパネルユニット３０を利用して太陽エネルギーを吸収することで、無停電効果を達成することができる。
【００２８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２９】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３０】
１０    アダプター
１１    バッテリー
１１１  正極
１１２  負極
１２    電源伝送線
１３    後板
１３１  サポート板
１３２  穿孔
１３３  緊密結束ベルト
１４    第一制御パネル
１４１  電源出力コンセント
１４２  電源入力コンセント
１４４  インジケーター
１４５  ノーヒューズスイッチ
１４６  給気口
１４７  主電源スイッチ
１５    第二制御パネル
１５１  LED照明灯
１５２  切換スイッチ
１６    第三制御パネル
１６１  排気口
１６２  ソーラーパネルコンセント
１６３  USBコンセント
１６４  アダプター状態インジケーター
１６５  電力残量インジケーター
１６６  充電インジケーター
１６７  交流電源インジケーター
１７    第四制御パネル
１７１  給気口
２０    搭載台
２１    脚部
２２    伸縮ハンドル
２３    車輪
２４    フックフレーム
２５    係合制御フレーム
３０    ソーラーパネルユニット
３１    ソーラーパネル
３２    伝送線
３３    定位フレーム
４０    外殻
５０    結束ベルト
【図１】
0003171843.tif 000003
【図２】
0003171843.tif 000004
【図３】
0003171843.tif 000005
【図４】
0003171843.tif 000006
【図５】
0003171843.tif 000007
【図６】
0003171843.tif 000008
【図７】
0003171843.tif 000009